(57)【要約】【課題】ＦＡおよびＨＡはＭｏｂｉｌｅＩＰシグナリング処理およびＩＰトンネル転送処理の二つの機能を持つため、各々の機能の独立な発展を阻害し、両者の分離を指向する将来のネットワーク構想に矛盾する。とくに移動ノードから見てＭｏｂｉｌｅ　ＩＰの規定上シグナリング処理部とＩＰトンネル転送処理部が同じ一つのアドレスで見えるため、両者が分離できない。【解決手段】ＦＡおよびＨＡをシグナリングのみを処理する制御サーバと、ＩＰトンネル転送を処理するＩＰトンネルルータから構成し、ＦＡの制御サーバがＦＡ気付けアドレスを、ＦＡ対応のＩＰトンネルルータがデフォルトルータアドレスを報知する。【選択図】　　　　図２
2004112011.tif 000002
【特許請求の範囲】
【請求項１】
移動ノード（移動ノードＭＮ）を収容し、該移動ノードＭＮの移動時に現在該移動ノードＭＮが保持している通信セションを切らないことを可能にするＭｏｂｉｌｅ　ＩＰｖ４ネットワークにおいて、
上記移動ノードＭＮを収容する各サブネットに、Ｍｏｂｉｌｅ　ＩＰシグナリングのみを処理するＦｏｒｅｉｇｎ　Ａｇｅｎｔ　（ＦＡ）制御サーバと、ＩＰのトンネル転送のみを処理するＩＰトンネルルータを用意することで、仮想的なＦＡを構成し、
移動ノードＭＮのホームサブネットに、Ｍｏｂｉｌｅ　ＩＰシグナリングのみを処理するＨｏｍｅ　Ａｇｅｎｔ　（ＨＡ）制御サーバと、ＩＰのトンネル転送のみを処理するＩＰトンネルルータを用意することで、仮想的なＨＡを構成し、
ＦＡ制御サーバが移動ノードＭＮに自身のＩＰアドレスを通知し、ＩＰトンネルルータが移動ノードＭＮにデフォルトルータになるＩＰアドレスを通知する
ことを特徴とする分散Ｍｏｂｉｌｅ　ＩＰによる移動管理方式。
【請求項２】
仮想的にＦＡを構成する　ＩＰトンネルルータがＩＰトンネル終端点になるＭｏｂｉｌｅ　ＩＰｖ４ネットワークにおいて、
ＦＡ制御サーバが移動ノードＭＮから位置登録を要求されたときに、ＦＡ制御サーバは仮想ＦＡを構成するＩＰトンネルルータ内のＩＰトンネル終端点を決定し、このＩＰアドレス情報を含む位置登録の要求をＨＡ制御サーバまで送信し、
ＨＡ制御サーバは仮想ＨＡを構成するＩＰトンネルルータ内のＩＰトンネル終端点を決定した後、このＩＰトンネル終端点と仮想的なＦＡを構成するＩＰトンネルルータ内のＩＰトンネル終端点を、仮想ＨＡを構成するＩＰトンネルルータに設定するとともに、仮想ＨＡを構成するＩＰトンネルルータ内の終端点のＩＰアドレス情報を含む位置登録の応答をＦＡ制御サーバまで送信し、
ＦＡ制御サーバは仮想的なＨＡを構成するＩＰトンネルルータ内のＩＰトンネル終端点を、仮想ＦＡを構成するＩＰトンネルルータに設定した後、
ＦＡ制御サーバが位置登録の応答を移動ノードＭＮまで転送することで、
Ｍｏｂｉｌｅ　ＩＰネットワークのＩＰトンネルを形成する、
ことを特徴とする分散Ｍｏｂｉｌｅ　ＩＰによる移動管理方式。
【請求項３】
移動ノードＭＮがＩＰトンネル終端点になるＭｏｂｉｌｅ　ＩＰｖ４およびＭｏｂｉｌｅ　ＩＰｖ６ネットワークにおいて、この終端点のＩＰアドレス情報を含む位置登録の要求をＨＡ制御サーバまで送信し、
ＨＡ制御サーバは仮想ＨＡを構成するＩＰトンネルルータ内のＩＰトンネル終端点を決定した後、この終端点のＩＰアドレス情報を含む位置登録の応答を移動ノードＭＮまで送信することで、
Ｍｏｂｉｌｅ　ＩＰネットワークのＩＰトンネルを形成する
ことを特徴とする分散Ｍｏｂｉｌｅ　ＩＰによる移動管理方式。
【請求項４】
Ｍｏｂｉｌｅ　ＩＰｖ４ネットワークにおいて、
ＦＡ制御サーバが、移動ノードＭＮに自身のＩＰアドレスに加え、デフォルトルータになるＩＰトンネルルータのＩＰアドレスを通知する
ことを特徴とする分散Ｍｏｂｉｌｅ　ＩＰによる移動管理方式
【請求項５】
Ｍｏｂｉｌｅ　ＩＰｖ４ネットワークにおいて、
移動ノードＭＮに対してデフォルトルータになるＩＰトンネルルータが、移動ノードＭＮにデフォルトルータとしてのＩＰアドレスに加え、ＦＡ制御サーバのＩＰアドレスを通知する
ことを特徴とする分散Ｍｏｂｉｌｅ　ＩＰによる移動管理方式。
【請求項６】
Ｍｏｂｉｌｅ　ＩＰｖ４ネットワークにおいて、
移動ノードＭＮが送信するＭｏｂｉｌｅ　ＩＰメッセージをＩＰトンネルルータが捕捉し、これをＦＡ制御サーバまで転送するとともに、
ＦＡ制御サーバがＨＡ機能からＭｏｂｉｌｅ　ＩＰメッセージを受信した場合、これをＩＰトンネルルータを介して移動ノードＭＮまで送信する
ことを特徴する分散Ｍｏｂｉｌｅ　ＩＰによる移動管理方式
【請求項７】
Ｍｏｂｉｌｅ　ＩＰｖ４ネットワークにおいて、
移動ノードＭＮが位置登録の要求を生成後、ＨＡ制御サーバのサブネットでこの要求がブロードキャストされるようＨＡのＩＰアドレスを設定し、これをＦＡ制御サーバ経由もしくは直接送信し、
ＨＡ制御サーバはこのブロードキャストに対して、自身のＩＰアドレス情報を含む位置登録の応答拒否をＦＡ制御サーバ経由で移動ノードＭＮまで転送することで、移動ノードＭＮがＨＡ制御サーバのアドレスを知ることを可能にする、分散Ｍｏｂｉｌｅ
ＩＰによる移動管理方式。
【請求項８】
Ｍｏｂｉｌｅ　ＩＰｖ６ネットワークにおいて、
移動ノードＭＮを収容する各サブネットに、Ｍｏｂｉｌｅ　ＩＰシグナリングのみを処理するＡｃｃｅｓｓ　Ｒｏｕｔｅｒ　（ＡＲ）制御サーバと、ＩＰのトンネル転送のみを処理するＩＰトンネルルータを用意することで、仮想的なＡＲを構成し、
移動ノードＭＮのホームサブネットに、Ｍｏｂｉｌｅ　ＩＰ　ＨＡシグナリングのみを処理するＨｏｍｅ　Ａｇｅｎｔ　（ＨＡ）制御サーバと、ＩＰのトンネル転送のみを処理するＩＰトンネルルータを用意することで、仮想的なＨＡを構成し、
ＡＲ制御サーバが請求項１，４，５，６に記載のＦＡ制御サーバの振る舞いと同一の振る舞いをする
ことを特徴とする請求項１，４，５，６の分散Ｍｏｂｉｌｅ　ＩＰによる移動管理方式
【請求項９】
Ｍｏｂｉｌｅ　ＩＰｖ６ネットワークにおいて、移動ノードＭＮが位置登録の要求を生成後、ＨＡ制御サーバのサブネットでこの要求がブロードキャストされるようＨＡのＩＰアドレスを設定し、さらにこれをＨＡ制御サーバのサブネットのエニーキャストアドレスでカプセル化して送信し、
ＨＡ制御サーバサブネット内の一つのルータがこの要求を受信してデカプセル化した後、データをブロードキャストし、
ＨＡ制御サーバはこのブロードキャストに対して、自身のＩＰアドレス情報を含む位置登録の応答拒否を移動ノードＭＮまで転送することで、移動ノードＭＮがＨＡ制御サーバのアドレスを知ることを可能にする、分散Ｍｏｂｉｌｅ　ＩＰによる移動管理方式
【発明の詳細な説明】
【０００１】
【発明の属する技術分野】
本発明は、移動体パケット通信の移動管理技術に関する。
【０００２】
【従来の技術】
ＩＰアドレスを持った端末がサブネットを跨って移動した場合に、移動ノードＭＮがセッションを中断する事なく通信を保つ方法として、ＩＥＴＦ（Ｉｎｔｅｒｎｅｔ　Ｅｎｇｉｎｅｅｒｉｎｇ　Ｔａｓｋ　Ｆｏｒｃｅ）ではＭｏｂｉｌｅ　ＩＰ（ＲＦＣ２００２）が提唱されている（非特許文献１）。またこの概念は「詳細Ｍｏｂｉｌｅ　ＩＰ」で詳しく解説がなされている（非特許文献２）。
【０００３】
Ｍｏｂｉｌｅ　ＩＰを使用した通信の例を図１３に示す。１ａはＩＰサブネットワーク、１ｂは１ａと異なるサブネットに属するＩＰサブネットワーク、２はＭｏｂｉｌｅ　ＩＰを実装した移動ノード移動ノードＭＮ、３ａ、３ｂは移動ノードを収容するアクセスポイント、４はＭｏｂｉｌｅ　ＩＰ外部エージェント（ＦＡ）、５は移動ノード２の位置をＦＡのＩＰアドレスとして管理するホームエージェント（ＨＡ）、６は移動ノードと通信する通信相手ノード（ＣＮ）である。
【０００４】
Ｍｏｂｉｌｅ　ＩＰでは、移動ノード（ＭＮ）２のホームドメイン内にＨＡ　５が配置され、移動ノード（ＭＮ）２にはこのホームドメインに属するＩＰアドレス（以下、ホームアドレスという）を固定的に割り当てる。そして移動ノード（ＭＮ）２の位置として、移動ノード（ＭＮ）２が存在するＦＡのアドレスがＨＡ　５によって管理される。このため、移動ノード（ＭＮ）２は旧ＦＡから新ＦＡ配下に移動したことを検出したタイミングで、移動ノード（ＭＮ）２は自身の移動先アドレスとして新ＦＡのアドレス（ＦＡ気付アドレスと呼ばれる）を、新ＦＡ経由でＨＡに登録する。
【０００５】
ＣＮ　６が移動ノード（ＭＮ）２にＩＰパケットを送信する場合、移動ノード（ＭＮ）２のホームアドレス宛てのパケットは移動ノード（ＭＮ）２のＦＡ気付アドレスを管理しているＨＡ　５によって捕捉され、ＨＡ　５はＩＰトンネルを通して、捕捉したＩＰパケットを登録されたＦＡ　４まで転送する。ここで、ＩＰトンネルを介した転送とは、ＨＡが受信したＩＰパケットを、
送信元アドレス：ＨＡ　５のＩＰアドレス、
送信先アドレス：ＦＡ気付けアドレス
を持ったＩＰヘッダでカプセル化し、これをＦＡまで転送することを示す。ＦＡ　４はカプセル化されたＩＰパケットを受信すると、ここから元のＩＰパケットを取り出し、移動ノード（ＭＮ）２まで転送する。この機構によりＭｏｂｉｌｅ　ＩＰでは移動ノード（ＭＮ）２の移動透過性を実現している。
【０００６】
また、移動ノード（ＭＮ）２が移動先でそのサブネットのＩＰアドレスを取得した場合、このＩＰアドレス（共存気付アドレスと呼ばれる）を自身の移動先アドレスとして、ＨＡ　５に直接登録できる。この場合、ＩＰトンネルはＦＡ　４とＨＡ　５の間ではなく、移動ノード（ＭＮ）２とＨＡ　５の間に設定される。
【０００７】
なお、移動ノード（ＭＮ）２からＣＮ　６へのＩＰパケット送信は、通常のルーチング経路で送信するケースと、ＩＰトンネルを介して送信するケースとがある。
【０００８】
【非特許文献１】
Ｃ．　Ｐｅｒｋｉｎｓ著「ＲＦＣ２００２：ＩＰ　Ｍｏｂｉｌｉｔｙ　Ｓｕｐｐｏｒｔ」ＩＥＴＦ　Ｉｎｔｅｒｎｅｔ　Ｄｒａｆｔ、１９９６／１０、Ｐ．８−１１
【非特許文献２】
ジェイムス・Ｄ・ソロモン著「詳細　Ｍｏｂｉｌｅ　ＩＰ」（株）ピアソンエデュケーション、
１９９８年７月２７日、Ｐ．５７−７７
【０００９】
【発明が解決しようとする課題】
以上のように、従来の構成において、ＦＡやＨＡはＭｏｂｉｌｅ　ＩＰのシグナリング処理およびユーザパケットのＩＰトンネル転送処理を行う機能を持つため、ここに両者の負荷が集中する。
【００１０】
一般的に次世代のネットワークは、シグナリング処理を行う制御プレーンと、ユーザパケット処理を行うユーザプレーンとを分離実装するネットワーク構成となる。このような分散型のネットワークでは、シグナリング処理およびユーザパケット処理の独立な発展、各プレーンのスケーラビリティの実現、各プレーンの負荷分散の実現、汎用的となるユーザパケット処理装置の低価格化、シグナリング処理を汎用コンピュータ上で実現できることによる高性能化、低価格化が期待できる。しかし、Ｍｏｂｉｌｅ　ＩＰはこのような分散型のネットワークを想定しておらず、次世代のネットワークへの展開が困難である。
【００１１】
とくに、Ｍｏｂｉｌｅ　ＩＰではＦＡは自身のアドレスを通知するメッセージを規定しており、移動ノードＭＮはこのメッセージの送信元ＩＰ／ＭＡＣアドレスをＦＡとみなし位置登録シグナリングを行い、またデフォルトルータとしてみなしてユーザデータを送信する。これは一つのＩＰアドレスをシグナリングおよびユーザパケット処理の双方に利用していることを示しており、このため制御プレーンとユーザプレーンが分離できない。
【００１２】
また、移動ノードＭＮからＨＡへの位置登録で通知されるアドレス情報も、制御プレーンとユーザプレーンが分離した場合どのようになるのかが規定されていない。
【００１３】
さらに、ＨＡ制御サーバのアドレスを移動ノードＭＮが知らなかった場合の手順についても、制御プレーンとユーザプレーンが分離した場合どのようになるのかが規定されていない。
本発明は以上のような、Ｍｏｂｉｌｅ　ＩＰのＦＡおよびＨＡが抱える問題を解決するものである。
【００１４】
【課題を解決するための手段】
第１の発明に係るＭｏｂｉｌｅ　ＩＰｖ４ネットワークにおいて、ＦＡ機能（仮想ＦＡと呼ぶ）をＭｏｂｉｌｅ　ＩＰシグナリングのみを処理するＦＡ制御サーバと、移動ノードＭＮに対してデフォルトルータとして機能するとともにＩＰトンネルの終端点となるＩＰトンネルルータから構成する。また、ＨＡ機能（仮想ＨＡと呼ぶ）をＭｏｂｉｌｅ　ＩＰシグナリングのみを処理するＨＡ制御サーバと、ＩＰトンネルの終端点となるＩＰトンネルルータから構成する。ここで、ＦＡ制御サーバとＩＰトンネルルータとの関係、およびＨＡ制御サーバとＩＰトンネルルータとの関係は、前者をＭｅｄｉａ　Ｇａｔｅｗａｙ　Ｃｏｎｔｒｏｌｌｅｒ　（ＭＧＣ）として、後者をＭｅｄｉａ　Ｇａｔｅｗａｙ　（ＭＧ）として位置付ける。
【００１５】
ＦＡ制御サーバは定期的なブロードキャストもしくは問い合わせ応答の形式で、移動ノードＭＮに自身のアドレスをＦＡ気付けアドレスとして通知する。仮想ＦＡを構成するＩＰトンネルルータは定期的なブロードキャストもしくは問い合わせ応答の形式で、移動ノードＭＮにデフォルトルータになるアドレスを通知する。
【００１６】
第２の発明に係るＭｏｂｉｌｅ　ＩＰｖ４ネットワークにおいて、移動ノードＭＮがＭｏｂｉｌｅＩＰｖ４　ＦＡ気付けアドレスを使用する場合、仮想ＦＡを構成するＩＰトンネルルータがＩＰトンネルの終端点になる。
この場合、移動ノードＭＮはＦＡ制御サーバのアドレス、ＨＡ制御サーバのアドレスを含む位置登録要求を、ＦＡ気付けアドレスの送信元であるＦＡ制御サーバのＩＰアドレス／ＭＡＣアドレスに対して送信する。この要求を受信したＦＡ制御サーバは要求を精査した後、ＩＰトンネルの終端点となるＩＰトンネルルータのアドレスを、ＩＰトンネルルータへの問い合わせなどで決定する。決定後ＦＡ制御サーバは、ＩＰトンネル終端点を位置登録要求に設定してＨＡ制御サーバに送信する。
この要求を受信したＨＡ制御サーバは要求を精査した後、ＩＰトンネルの終端点となるＩＰトンネルルータのアドレスを、ＩＰトンネルルータへの問い合わせなどで決定する。また、このＩＰトンネルの終端点とともに、仮想ＦＡのＩＰトンネル終端点を仮想ＨＡのＩＰトンネルルータへ通知する。ＨＡ制御サーバは、ＩＰトンネル終端点を位置登録応答に設定してＦＡ制御サーバに送信する。
ＦＡ制御サーバは通知された仮想ＨＡのＩＰトンネル終端点を、仮想ＦＡを構成するＩＰトンネルルータに通知することで、仮想ＨＡのＩＰトンネルルータおよび仮想ＦＡのＩＰトンネルルータ間でＩＰトンネルを構成する。
【００１７】
第３の発明に係るＭｏｂｉｌｅ　ＩＰネットワークにおいて、移動ノードＭＮがＭｏｂｉｌｅ　ＩＰｖ４　共存気付けアドレスを使用する場合、もしくはＭｏｂｉｌｅ　ＩＰｖ６を使用する場合、移動ノードＭＮがＩＰトンネルの終端点になる。
この場合、移動ノードＭＮは自身のＩＰアドレス、ＨＡ制御サーバのアドレスを含む位置登録要求を、ＨＡ制御サーバのＩＰアドレスに対して送信する。
この要求を受信したＨＡ制御サーバは要求を精査した後、ＩＰトンネルの終端点となるＩＰトンネルルータのアドレスを、ＩＰトンネルルータへの問い合わせなどで決定する。また、移動ノードＭＮのＩＰトンネル終端点（単に移動ノードＭＮのＩＰアドレス）を仮想ＨＡのＩＰトンネルルータへ通知する。ＨＡ制御サーバは、ＩＰトンネル終端点を位置登録応答に設定して移動ノードＭＮに送信する。
移動ノードＭＮはこのＩＰトンネル終端点を使用して、仮想ＨＡのＩＰトンネルルータおよび移動ノードＭＮ間でＩＰトンネルを構成する。
【００１８】
第４の発明に係るＭｏｂｉｌｅ　ＩＰｖ４ネットワークにおいて、ＦＡ制御サーバは、コンフィグレーションデータとして、もしくはＩＰトンネルルータからの情報通知によって、移動ノードＭＮにとってデフォルトルータとなるＩＰトンネルルータのＩＰアドレスを取得する。
ＦＡ制御サーバは定期的なブロードキャストもしくは問い合わせ応答の形式で、移動ノードＭＮにＦＡ気付けアドレスとしての自身のアドレスに加え、デフォルトルータとなるＩＰアドレスを通知する。このデフォルトルータのＩＰアドレスは、移動ノードＭＮが共存気付けアドレスを使用する場合に利用できる。
【００１９】
第５の発明に係るＭｏｂｉｌｅ　ＩＰｖ４ネットワークにおいて、ＩＰトンネルルータは、コンフィグレーションデータとして、もしくはＦＡ制御サーバからの情報通知によって、移動ノードＭＮにとって位置登録要求の送信先アドレス（ＦＡ気付けアドレス）となるＦＡ制御サーバのＩＰアドレスを取得する。
ＩＰトンネルルータは定期的なブロードキャストもしくは問い合わせ応答の形式で、移動ノードＭＮにデフォルトルータとなるＩＰアドレスに加え、ＦＡ気付けアドレスとしてＦＡ制御サーバのＩＰアドレスを通知する。このＦＡ制御サーバのＩＰアドレスは、移動ノードＭＮが共存気付けアドレスを使用する場合に利用できる。
【００２０】
第６の発明に係るＭｏｂｉｌｅ　ＩＰｖ４ネットワークにおいて、ＩＰトンネルルータは、移動ノードＭＮに対して制御プレーンとユーザプレーンが一体化した装置として振舞う。このため、ＩＰトンネルルータは定期的なブロードキャストもしくは問い合わせ応答の形式で、移動ノードＭＮにデフォルトルータとなるＩＰアドレスに加え、ＦＡ気付けアドレスとしてＩＰトンネルルータ内のＩＰアドレスを通知する。
【００２１】
移動ノードＭＮは位置登録要求を、気付けアドレスを通知してきたＩＰトンネルルータのＩＰ／ＭＡＣアドレスに対して送信する。
【００２２】
ＩＰトンネルルータはこのような移動ノードＭＮからのＭｏｂｉｌｅ　ＩＰメッセージを、Ｍｏｂｉｌｅ　ＩＰ特有のポート番号によって検出し、これをＦＡ制御サーバまで転送し、以降ＦＡ制御サーバはＭｏｂｉｌｅ　ＩＰメッセージを移動ノードＭＮから直接受信したのと同等に扱う。また、移動ノードＭＮ宛のＭｏｂｉｌｅ　ＩＰメッセージを受信したＦＡ制御サーバは、これをＩＰトンネルルータまで転送し、ＩＰトンネルルータが移動ノードＭＮにメッセージを送信する。
【００２３】
第７の発明に係るＭｏｂｉｌｅ　ＩＰｖ４ネットワークにおいて、移動ノードＭＮは、ＨＡ制御サーバのサブネットで位置登録の要求がブロードキャストされるようＨＡのＩＰアドレス領域を設定し、これをＦＡ制御サーバ経由もしくはＨＡ制御サーバに直接送信する。第７の発明に係るＨＡ制御サーバはこのブロードキャストに対して、自身のＩＰアドレス情報を含む位置登録の応答拒否をＦＡ制御サーバ経由で移動ノードＭＮまで転送することで、自身のアドレスを移動ノードＭＮまで通知する。
【００２４】
第８の発明に係るＭｏｂｉｌｅ　ＩＰｖ６ネットワークにおいて、Ｍｏｂｉｌｅ　ＩＰ特有の機能を持つアクセスルータ（ＡＲ）機能（仮想ＡＲと呼ぶ）をＭｏｂｉｌｅ　ＩＰシグナリングのみを処理するＡＲ制御サーバと、移動ノードＭＮに対してデフォルトルータとして機能するとともにＩＰトンネルの終端点となるＩＰトンネルルータから構成する。また、ＨＡ機能（仮想ＨＡと呼ぶ）をＭｏｂｉｌｅ　ＩＰシグナリングのみを処理するＨＡ制御サーバと、ＩＰトンネルの終端点となるＩＰトンネルルータから構成する。
【００２５】
ＡＲ制御サーバは以下すように第１，４，５，６の発明のＦＡ制御サーバと同様の動作を行う。ＡＲ制御サーバは第１の発明と同様、自身のＩＰアドレスを移動ノードＭＮに通知する。　また、第４の発明と同様、自身のＩＰアドレスに加え、デフォルトルータになるＩＰトンネルルータのＩＰアドレスを移動ノードＭＮに通知する。また、第５の発明と同様、ＡＲ制御サーバのＩＰアドレスがＩＰトンネルルータによって移動ノードＭＮに通知される。また、第６の発明と同様、ＩＰトンネルルータが捕捉したＭｏｂｉｌｅ　ＩＰメッセージはＡＲ制御サーバまで転送され、ＡＲ制御サーバがＨＡ機能から受信したＭｏｂｉｌｅ　ＩＰメッセージは、ＩＰトンネルルータを介して移動ノードＭＮまで送信される。
【００２６】
第９の発明に係るＭｏｂｉｌｅ　ＩＰｖ６ネットワークにおいて、移動ノードＭＮは、ＨＡ制御サーバのサブネットで位置登録の要求がブロードキャストされるようＨＡのＩＰアドレス領域を設定し、さらにこれをＨＡ制御サーバのサブネットのエニーキャストアドレスでカプセル化して送信し、ＨＡ制御サーバサブネット内の一つのルータがこの要求を受信してデカプセル化した後、データをブロードキャストする。第８の発明に係るＨＡ制御サーバはこのブロードキャストに対して、自身のＩＰアドレス情報を含む位置登録の応答拒否を移動ノードＭＮまで転送することで、自身のアドレスを移動ノードＭＮまで通知する。
【００２７】
【発明の実施の形態】
実施の形態１．
図１は実施の形態１におけるＭｏｂｉｌｅ　ＩＰｖ４ネットワークの構成図である。
図１において、外部エージェント機能（ＦＡ機能）はＭｏｂｉｌｅ　ＩＰシグナリングのみを処理するＦＡ制御サーバ７ａ、７ｂ、およびユーザデータの転送処理のみを行うＩＰトンネルルータ８ａ、８ｃによって構成される。また、ホームエージェント機能（ＨＡ機能）はＭｏｂｉｌｅ　ＩＰシグナリングのみを処理するＨＡ制御サーバ９、およびユーザデータの転送処理のみを行うＩＰトンネルルータ８ｂによって構成される。そのほかは図１３と同一である。
また、図２は図１のネットワークにおけるＭｏｂｉｌｅ　ＩＰの全体動作概念図を、図３は端末におけるＩＣＭＰメッセージ受信時の動作を、図４は位置登録時の各装置の動作フローを示すものである。
【００２８】
この実施の形態ににおいて、ＦＡ制御サーバ７ａは図２の１０に示すようにＦＡ制御サーバ自身のアドレスをＦＡ気付けアドレスとして定期的にブロードキャストしている。このメッセージはＩＣＭＰメッセージの一種であり、分散型移動性エージェント広告と呼ぶ。　移動ノード（ＭＮ）２に収容ネットワークが分散型Ｍｏｂｉｌｅ　ＩＰネットワークであることを通知するため、このメッセージは通常の移動性エージェント広告に対してコードフィールド値などを変更しておく。
図３で示すように、移動ノード（ＭＮ）２は分散型移動性エージェント広告を受信し、その送信元ＭＡＣ／ＩＰアドレスを位置登録シグナリングの送信先であるＦＡ制御サーバ７ａとして認識する。なお、分散型移動性エージェント広告は移動ノードＭＮからの広告要請メッセージに対する応答として送信しても良い。
【００２９】
またＩＰトンネルルータ８ａは図２の１１に示すように移動ノードＭＮに対してデフォルトルータとなるＩＰアドレスを定期的にブロードキャストしている。このメッセージは通常のＩＣＭＰルータ広告メッセージである。図３で示すように、移動ノード（ＭＮ）２　はルータ広告を受信し、その送信元ＭＡＣ／ＩＰアドレスをユーザパケットの送信先であるＩＰトンネルルータ８ａとして認識する。なお、ルータ広告は移動ノードＭＮからの広告要請メッセージに対する応答として送信しても良い。
以上、移動ノードＭＮは分散型移動性エージェント広告とＩＣＭＰルータ広告を独立に受信することで、制御プレーンのＦＡ制御サーバとユーザプレーンのＩＰトンネルルータとを独立に認識することができる。
【００３０】
ＦＡ制御サーバ７ａとＩＰトンネルルータ８ａのＩＰアドレスを認識した移動ノードＭＮは、既知のＨＡ制御サーバ９のＩＰアドレス情報を含む位置登録メッセージを生成し、これを分散型移動性エージェント広告送信元のＭＡＣ／ＩＰアドレスに対して送信する（図２の１３）。位置登録メッセージはＦＡ制御サーバ７ａが受信し、メッセージの精査後にＩＰ　トンネルルータ８ａ内でＩＰトンネルの終端点となる気付けアドレスを取得する。このアドレスはＩＰトンネルルータ８ａのデフォルトルータアドレスと異なっていてもよく、このアドレスはＩＰトンネルルータ８ａに問い合わせることで決定する。ただし、ＦＡ制御サーバ７ａがＩＰトンネルルータ８ａのリソースを管理している場合、ＩＰトンネルルータ８ａに問い合わせることなく、独自にアドレスを決定しても良い。
【００３１】
ＦＡ制御サーバ７ａは取得したＩＰ　トンネルルータ８ａ内のＩＰトンネル終端点アドレスを、気付けアドレスとして位置登録メッセージに設定し、移動ノードＭＮから通知されたＨＡ制御サーバ９のアドレスに対して位置登録メッセージを転送する（図２の１４）。位置登録メッセージを受信したＨＡ制御サーバ９は、メッセージのＩＰトンネル情報記憶後にＩＰ　トンネルルータ８ｂ内でＩＰトンネルの終端点となるアドレスを取得する。このアドレスはＩＰトンネルルータ８ｂに問い合わせることで決定する。ただし、ＨＡ制御サーバ９がＩＰトンネルルータ８ｂのリソースを管理している場合、ＩＰトンネルルータ８ｂに問い合わせることなく、独自にアドレスを決定しても良い。なお、この際ＨＡ制御サーバ９は、対向となるＩＰトンネルルータ８ａのＩＰトンネル終端点をＩＰトンネルルータ８ｂに通知する。
【００３２】
ＨＡ制御サーバ９は取得したＩＰ　トンネルルータ８ｂ内のＩＰトンネル終端点アドレスを、ホームエージェントアドレスとして位置登録応答メッセージに設定し、ＦＡ制御サーバ７ａに対して送信する（図２の１５）。ＦＡ制御サーバ７ａはＩＰ　トンネルルータ８ｂ内のＩＰトンネル終端点をＩＰトンネルルータ８ａに通知することで、ＩＰトンネルルータ８ａ−８ｂ間のＩＰトンネル（図２の１６）が確立する。その後、ＦＡ制御サーバ７ａは位置登録応答メッセージを移動ノード（ＭＮ）２まで転送する（図２の１７）。
【００３３】
この一連の動作によって、図４に示すようにＩＰトンネルルータ８ａ、８ｂを介するユーザデータパスが構成される。
【００３４】
以上のように、ＦＡ機能は仮想的にＦＡ制御サーバとＩＰトンネルルータから構成され、ＨＡ機能は仮想的にＨＡ制御サーバとＩＰトンネルルータから構成される。そして、ＦＡ制御サーバが自身のアドレスをＦＡ気付けアドレスとして移動ノード（ＭＮ）２に通知し、ＦＡ機能を構成するＩＰトンネルルータがデフォルトルータのＩＰアドレスを移動ノード（ＭＮ）２に通知するため、移動ノード（ＭＮ）２はＦＡ制御サーバとＩＰトンネルルータを各々個別に認識できる。このため移動ノード（ＭＮ）２からＨＡまでトータルで制御プレーンとユーザプレーンを分離したＭｏｂｉｌｅ　ＩＰネットワークが構築できる。このような制御プレーンとユーザプレーンを分離したＭｏｂｉｌｅ　ＩＰネットワークでは、制御プレーンとユーザプレーンの負荷分散が可能になり、シグナリングの高度化、トンネル処理の高速化に独立に対応できるため、最適化されたシステムを構築できる。また、制御プレーンを汎用コンピュータシステム上で構築することにより、高速で安価なシステムを提供できる。また、ユーザプレーンはＭｏｂｉｌｅ　ＩＰシグナリングから切り離されるため、Ｍｏｂｉｌｅ　ＩＰ以外のシステムにも適用可能な、汎用的な機器になることができ、その結果、安価の製品が提供できる。
【００３５】
また、ＦＡ気付けアドレスを使用する移動ノード（ＭＮ）２が位置登録を行う際に、Ｍｏｂｉｌｅ　ＩＰの手順の中でＦＡ機能の一部となるＩＰトンネルルータのＩＰトンネル終端点のＩＰアドレスと、ＨＡ機能の一部となるＩＰトンネルルータのＩＰトンネル終端点のＩＰアドレスを交換するため、制御プレーンとユーザプレーンを分離したＭｏｂｉｌｅ　ＩＰネットワークで正しく、ＩＰトンネルを設定できるようになる。
【００３６】
実施の形態２．
図５は実施の形態２におけるＭｏｂｉｌｅ　ＩＰｖ４ネットワークの全体動作概念図を、図６は位置登録時の各装置の動作フローを示すものである。
【００３７】
この実施の形態においてＦＡ制御サーバ７ａおよびＩＰトンネルルータ８ａは実施の形態１と同一の方式で情報を移動ノード（ＭＮ）２に対して通知する。本実施の形態では、移動ノード（ＭＮ）２はＭｏｂｉｌｅ　ＩＰｖ４もしくはＭｏｂｉｌｅ　ＩＰｖ６の共存気付けアドレスを使用することを選択する。この場合、移動ノード（ＭＮ）２はＩＰトンネルの終端点として移動ノード（ＭＮ）２自身のＩＰアドレス含む位置登録メッセージを生成し、既知のＨＡ制御サーバ９に対して送信する（図５の１８）。位置登録メッセージを受信したＨＡ制御サーバ９は、メッセージのＩＰトンネル情報記憶後にＩＰ　トンネルルータ８ｂ内でＩＰトンネルの終端点となるアドレスを実施の形態１と同様の方法で取得する。この際ＨＡ制御サーバ９は、対向となる移動ノード（ＭＮ）２のＩＰトンネル終端点をＩＰトンネルルータ８ｂに通知する。
【００３８】
ＨＡ制御サーバ９は取得したＩＰ　トンネルルータ８ｂ内のＩＰトンネル終端点アドレスを、ホームエージェントアドレスとして位置登録応答メッセージに設定し、移動ノード（ＭＮ）２に対して送信する（図５の１９）。この時点で移動ノード（ＭＮ）２　−　ＩＰトンネルルータ８ｂ間のＩＰトンネル（図５の１６）が確立する。
【００３９】
この一連の動作によって、図６に示すようにＩＰトンネルルータ８ｂを介するユーザデータパスが構成される。
【００４０】
以上のように、共存気付けアドレスを使用する移動ノード（ＭＮ）２が位置登録を行う際に、Ｍｏｂｉｌｅ　ＩＰの手順の中で移動ノード（ＭＮ）２のＩＰアドレスと、ＨＡ機能の一部となるＩＰトンネルルータのＩＰトンネル終端点のＩＰアドレスを交換するため、制御プレーンとユーザプレーンを分離したＭｏｂｉｌｅ　ＩＰネットワークで正しく、ＩＰトンネルを設定できるようになる。
【００４１】
実施の形態３．
図７は実施の形態３における、Ｍｏｂｉｌｅ　ＩＰｖ４／ｖ６の全体動作概念図を示すものである。
【００４２】
この実施の形態においてＦＡ制御サーバ７ａはＩＰトンネルルータ８ａから、移動ノードＭＮのデフォルトルータとしてのＩＰアドレスを通知されている（図７の２０）。これはＩＰトンネルルータ８ａの装置立上げ時もしくは、このＩＰアドレスの運用状態が変化したときに随時通知される。もしくは、ＦＡ制御サーバ７ａがコンフィグレーションデータとして静的に保持していても良い。
【００４３】
図７の２１のパスでＦＡ制御サーバ７ａは、ＦＡ制御サーバ自身のアドレスをＦＡ気付けアドレスとして定期的にブロードキャストする際、ＩＰトンネルルータ８ａ内のデフォルトルータとしてのＩＰアドレスを同時に放送する。このメッセージもＩＣＭＰメッセージの一種であり、分散型移動性エージェント広告である。ただし、実施の形態１で記載した情報のほかにＩＣＭＰルータ広告情報を含むものとする。
図３で示すように、移動ノード（ＭＮ）２は分散型移動性エージェント広告を受信し、その送信元ＭＡＣ／ＩＰアドレスを位置登録シグナリングの送信先であるＦＡ制御サーバ７ａとして認識する。また、ＩＣＭＰルータ広告情報からデフォルトルータとしてのＩＰアドレスを認識する。
以上、移動ノードＭＮは分散型移動性エージェント広告内部でＩＣＭＰルータ広告を受信することで、制御プレーンのＦＡ制御サーバとユーザプレーンのＩＰトンネルルータとを独立に認識することができる。ただし、ＩＰトンネルルータのアドレスとしてＭＡＣアドレスが不明であるため、移動ノードＭＮ　はＭＡＣアドレスをＡＲＰによってＩＰアドレスから解決する必要がある。とくに移動ノードＭＮはホームアドレスを使用してＡＲＰしてはいけないというＭｏｂｉｌｅ　ＩＰの制約が存在する場合もあり、この場合には、共存気付けアドレスを使用する移動ノードＭＮがこの機構を利用できる。
【００４４】
以上のように、ＦＡ制御サーバがＦＡ気付けアドレスとして自身のアドレスを、またデフォルトルータＩＰアドレスとしてＦＡ機能を構成するＩＰトンネルルータ内のアドレスを移動ノード（ＭＮ）２に通知するため、移動ノード（ＭＮ）２はＦＡ制御サーバとＩＰトンネルルータを各々認識できる。このため移動ノード（ＭＮ）２からＨＡまでトータルで制御プレーンとユーザプレーンを分離したＭｏｂｉｌｅ　ＩＰネットワークが構築できる。この機構はとくに共存気付けアドレスを使用する移動ノード（ＭＮ）２が使用可能である。
【００４５】
実施の形態４．
図８は実施の形態４における、Ｍｏｂｉｌｅ　ＩＰｖ４の全体動作概念図を示すものである。
【００４６】
この実施の形態において、ＩＰトンネルルータ８ａはＦＡ制御サーバ７ａから、気付けアドレスとなるＦＡ制御サーバのＩＰアドレスを通知されている（図８の２２）。これはＦＡ制御サーバ７ａの装置立上げ時もしくは、このＩＰアドレスの運用状態が変化したときに随時通知される。もしくは、ＩＰトンネルルータ８ａがコンフィグレーションデータとして静的に保持していても良い。
【００４７】
図８の２３のパスでＩＰトンネルルータ８ａは、移動ノードＭＮに対してデフォルトルータとなるＩＰアドレスを定期的にブロードキャストする際、ＦＡ制御サーバ７ａのアドレスを気付けアドレスとして同時に放送する。このメッセージはＩＣＭＰメッセージの一種であり、分散型ＩＣＭＰルータ広告と呼ぶ。移動ノードＭＮに収容ネットワークが分散型Ｍｏｂｉｌｅ　ＩＰネットワークであることを通知するため、このメッセージは通常のＩＣＭＰルータ広告に対してコードフィールド値などを変更しておく。また実施の形態１で記載した情報のほかに移動性エージェント広告情報を含むものとする。図３で示すように、移動ノード（ＭＮ）２は分散型ＩＣＭＰルータ広告を受信し、その送信元ＭＡＣ／ＩＰアドレスをデフォルトルータとなるＩＰトンネルルータ８ａとして認識する。また、移動性エージェント広告情報からＦＡ制御サーバ７ａのＩＰアドレスを認識する。
【００４８】
以上、移動ノード（ＭＮ）２は分散型ＩＣＭＰルータ広告内部で移動性エージェント広告を受信することで、制御プレーンのＦＡ制御サーバとユーザプレーンのＩＰトンネルルータとを独立に認識することができる。ただし、ＦＡ制御サーバのアドレスとしてＭＡＣアドレスが不明であるため、移動ノードＭＮ　はＭＡＣアドレスをＡＲＰによってＩＰアドレスから解決する必要がある。とくに移動ノードＭＮはホームアドレスを使用してＡＲＰしてはいけないというＭｏｂｉｌｅ　ＩＰの制約が存在する場合もあり、この場合には、共存気付けアドレスを使用する移動ノード（ＭＮ）がこの機構を利用できる。
【００４９】
以上のように、ＩＰトンネルルータがＦＡ気付けアドレスとしてＦＡ制御サーバのアドレスを、またデフォルトルータＩＰアドレスとして自身のアドレスを移動ノード（ＭＮ）２に通知するため、移動ノード（ＭＮ）２はＦＡ制御サーバとＩＰトンネルルータを各々認識できる。このため移動ノード（ＭＮ）２からＨＡまでトータルで制御プレーンとユーザプレーンを分離したＭｏｂｉｌｅ　ＩＰネットワークが構築できる。
この機構はとくに共存気付けアドレスを使用する移動ノード（ＭＮ）２が使用可能である。
【００５０】
実施の形態５．
図９は実施の形態５における、Ｍｏｂｉｌｅ　ＩＰｖ４の全体動作概念図を、図１０は位置登録時の各装置の動作フローを示すものである。
【００５１】
この実施の形態においてＩＰトンネルルータ８ａは図８の２４のパスで、通常のＭｏｂｉｌｅ　ＩＰの規格に従い、移動ノード（ＭＮ）２に対してデフォルトルータとなるＩＰアドレスと、ＩＰトンネルルータ８ａ内の気付けアドレスを定期的にブロードキャストしている。このメッセージは通常の移動性エージェント広告メッセージである。図３で示すように、移動ノード（ＭＮ）２　は移動性エージェント広告を受信し、その送信元ＭＡＣ／ＩＰアドレスを位置登録送信先であり、かつユーザパケットの送信先である通常のＦＡとして認識する。
【００５２】
ＦＡのアドレスとしてＩＰトンネルルータ８ａのＩＰアドレスを認識した移動ノード（ＭＮ）２は、既知のＨＡ制御サーバ９のＩＰアドレス情報を含む位置登録メッセージを生成し、これを移動性エージェント広告送信元のＭＡＣ／ＩＰアドレスに対して送信する（図９の２５）。
位置登録メッセージはＩＰトンネルルータ８ａ　が受信し、ＩＰトンネルルータ８ａ　はこのメッセージがＭｏｂｉｌｅ　ＩＰ関連メッセージであることをＵＤＰポート番号（Ｍｏｂｉｌｅ　ＩＰシグナリングのＵＤＰポート番号は４３４固定である）から検出し、このメッセージをＦＡ制御サーバ７まで転送する（図９の２９）。この転送にはＭＧＣ−ＭＧ間で規定されるシグナリング転送メカニズムなどを使用する。なお、Ｍｏｂｉｌｅ　ＩＰｖ６の場合、Ｍｏｂｉｌｅ　ＩＰシグナリングはＩＰｖ６受信先オプションヘッダのオプションタイプで識別する。ＦＡ制御サーバ７ａは転送されてきたＭｏｂｉｌｅ　ＩＰシグナリングを、あたかも移動ノード（ＭＮ）２から受信したものとして扱う。
【００５３】
ＦＡ制御サーバ７ａがＨＡ制御サーバ９から位置登録の応答メッセージを受信した場合（図９の２８）、ＦＡ制御サーバ７ａはＩＰトンネルルータ８ａにこのメッセージを転送し（図９の２９）、ＩＰトンネルルータ８ａがこのメッセージを移動ノード（ＭＮ）２に配送
する（図９の３０）。
【００５４】
以上のように、仮想ＦＡを構成するＩＰトンネルルータが移動ノード（ＭＮ）２に対するＦＡとして動作し、ＩＰトンネルルータがＭｏｂｉｌｅ　ＩＰメッセージを移動ノード（ＭＮ）２から受信した場合、これをＦＡ制御サーバに転送する。また、ＦＡ制御サーバがＨＡ制御サーバから受信したＭｏｂｉｌｅ　ＩＰメッセージは、ＦＡ制御サーバがＩＰトンネルルータに転送し、ＩＰトンネルルータがこれを移動ノード（ＭＮ）２まで配送する。この機構により、ＦＡからＨＡまでトータルで制御プレーンとユーザプレーンを分離したＭｏｂｉｌｅ　ＩＰネットワークが構築できる。移動ノード（ＭＮ）２に関しては、通常のＭｏｂｉｌｅ　ＩＰノードを収容可能となる。
【００５５】
実施の形態６．
図１１は実施の形態６における、Ｍｏｂｉｌｅ　ＩＰｖ４での移動ノード（ＭＮ）２によるＨＡ制御サーバアドレス取得時の各装置の動作フローを示すものである。この実施の形態は、移動ノード（ＭＮ）２がＨＡ制御サーバのＩＰアドレスを予め知らない場合を想定し、ＨＡ制御サーバのＩＰアドレスの自動取得機構を規定する。
【００５６】
ＨＡ制御サーバのアドレスを知らない移動ノード（ＭＮ）２は、Ｍｏｂｉｌｅ　ＩＰの規定に従いホームアドレス領域にホームアドレスのサブネットプレフィックスとＡｌｌ　０を設定した位置登録メッセージを生成し、これをＦＡ制御サーバ経由でＨＡ制御サーバのサブネットに対して送信する。
このメッセージはＨＡ制御サーバのサブネットに存在するエッジルータによって、サブネット内でブロードキャストされる。本発明では、このブロードキャストパケットをＨＡ制御サーバが捕捉し、ＨＡ制御サーバのＩＰアドレスを設定した位置登録の拒否応答を返送する。
移動ノードＭＮはこの位置登録の拒否応答を受信し、ＨＡ制御サーバのＩＰアドレスを把握して、このＨＡ制御サーバに向けて位置登録を実施する。
【００５７】
以上のように、ＨＡ制御サーバがＨＡサブネット内でブロードキャストされるＭｏｂｉｌｅＩＰｖ４の位置登録に応答することで（拒否応答する）、移動ノード（ＭＮ）２までＨＡ制御サーバのアドレスを通知する。このため、制御プレーンとユーザプレーンを分離したＭｏｂｉｌｅ　ＩＰｖ４ネットワークにおいて、移動ノード（ＭＮ）２がＨＡ制御サーバのアドレスを知らないケースに対応できる。
【００５８】
実施の形態７．
実施の形態７はＭｏｂｉｌｅＩＰｖ６ネットワークを想定したものであり、ネットワークとしては図１におけるＦＡ制御サーバ７をＡＲ制御サーバで置き換え、仮想ＡＲをＡＲ制御サーバとＩＰトンネルルータ８から構成するものである。とくに仮想ＡＲはＭｏｂｉｌｅ　ＩＰ機能をサポートするものを想定する。
【００５９】
実施の形態７では実施の形態１におけるＦＡ制御サーバと同じように、自身のＩＰアドレスを移動ノード（ＭＮ）２に通知する。また、実施の形態３と同様、自身のＩＰアドレスに加え、デフォルトルータになるＩＰトンネルルータのＩＰアドレスを移動ノードＭＮに通知する。また、実施の形態４と同様、ＡＲ制御サーバのＩＰアドレスがＩＰトンネルルータによって移動ノード（ＭＮ）２に通知される。また、実施の形態５と同様、ＩＰトンネルルータが捕捉したＭｏｂｉｌｅ　ＩＰメッセージはＡＲ制御サーバまで転送され、ＡＲ制御サーバがＨＡ機能から受信したＭｏｂｉｌｅ　ＩＰメッセージは、ＩＰトンネルルータを介して移動ノード（ＭＮ）２まで送信される。
【００６０】
以上のように、制御プレーンとユーザプレーンを分離したＭｏｂｉｌｅ　ＩＰネットワークでは、制御プレーンとユーザプレーンの負荷分散が可能になり、シグナリングの高度化、トンネル処理の高速化に独立に対応できるため、最適化されたシステムを構築できる。
【００６１】
実施の形態８．
図１２は実施の形態８における、Ｍｏｂｉｌｅ　ＩＰｖ６での移動ノード（ＭＮ）２によるＨＡ制御サーバアドレス取得時の各装置の動作フローを示すものである。
【００６２】
ＨＡ制御サーバのアドレスを知らない移動ノード（ＭＮ）２は、Ｍｏｂｉｌｅ　ＩＰの規定に従いホームアドレス領域にホームアドレスのサブネットプレフィックスとＡｌｌ　０を設定した位置登録メッセージを生成、その後これをホームアドレスのサブネットのエニーキャストアドレスでカプセル化して、これをＨＡ制御サーバのサブネットに対して送信する。
このメッセージはＨＡ制御サーバのサブネットに存在する任意のルータによって受信され、このルータがデカプセル化を行い、このメッセージはサブネット内でブロードキャストされる。本発明では、このブロードキャストパケットをＨＡ制御サーバが捕捉し、ＨＡ制御サーバのＩＰアドレスを設定した位置登録の拒否応答を返送する。
移動ノード（ＭＮ）２はこの位置登録の拒否応答を受信し、ＨＡ制御サーバのＩＰアドレスを把握して、このＨＡ制御サーバに向けて位置登録を実施する。
【００６３】
以上のように、移動ノード（ＭＮ）２はＦＡ制御サーバとＩＰトンネルルータを各々個別に認識できる。このため移動ノード（ＭＮ）２からＨＡまでトータルで制御プレーンとユーザプレーンを分離したＭｏｂｉｌｅ　ＩＰネットワークが構築できる。
このような制御プレーンとユーザプレーンを分離したＭｏｂｉｌｅ　ＩＰネットワークでは、制御プレーンとユーザプレーンの負荷分散が可能になり、シグナリングの高度化、トンネル処理の高速化に独立に対応できるため、最適化されたシステムを構築できる。
【００６４】
また、制御プレーンとユーザプレーンを分離したＭｏｂｉｌｅ　ＩＰｖ４ネットワークにおいて、移動ノード（ＭＮ）２がＨＡ制御サーバのアドレスを知らないケースに対応できる。
【００６５】
【発明の効果】
以上のように、この発明によれば、移動ノード（ＭＮ）２はＦＡ制御サーバとＩＰトンネルルータを各々個別に認識できる。このため移動ノード（ＭＮ）２からＨＡまでトータルで制御プレーンとユーザプレーンを分離したＭｏｂｉｌｅ　ＩＰネットワークが構築できる。
このような制御プレーンとユーザプレーンを分離したＭｏｂｉｌｅ　ＩＰネットワークでは、制御プレーンとユーザプレーンの負荷分散が可能になり、シグナリングの高度化、トンネル処理の高速化に独立に対応できるため、最適化されたシステムを構築できる。
【００６６】
【図面の簡単な説明】
【図１】この発明の実施の形態１から７までの前提となる、制御プレーンとユーザプレーンを分離したＭｏｂｉｌｅＩＰネットワークの構成図。
【図２】この発明の実施の形態１における、分散ＭｏｂｉｌｅＩＰの制御の流れを示す図。
【図３】この発明の実施の形態１、３、４、５における、移動ノード（ＭＮ）２でのＩＣＭＰメッセージ受信時の動作を示すものである。
【図４】この発明の実施の形態１における、分散ＭｏｂｉｌｅＩＰの位置登録実行時の、各装置の処理フローを示す図。
【図５】この発明の実施の形態２における、分散ＭｏｂｉｌｅＩＰの制御の流れを示す図。
【図６】この発明の実施の形態２における、分散ＭｏｂｉｌｅＩＰの位置登録実行時の、各装置の処理フローを示す図。
【図７】この発明の実施の形態３における、分散ＭｏｂｉｌｅＩＰのＦＡ制御サーバおよびＩＰトンネルルータのＩＰアドレス通知の流れを示す図。
【図８】この発明の実施の形態４における、分散ＭｏｂｉｌｅＩＰのＦＡ制御サーバおよびＩＰトンネルルータのＩＰアドレス通知の流れを示す図。
【図９】この発明の実施の形態５における、分散ＭｏｂｉｌｅＩＰの制御の流れを示す図。
【図１０】この発明の実施の形態５における、分散ＭｏｂｉｌｅＩＰの位置登録実行時の、各装置の処理フローを示す図。
【図１１】この発明の実施の形態６における、分散ＭｏｂｉｌｅＩＰのＨＡ制御サーバのＩＰアドレス取得フローを示す図。
【図１２】この発明の実施の形態７における、分散ＭｏｂｉｌｅＩＰのＨＡ制御サーバのＩＰアドレス取得フローを示す図。
【図１３】従来のＭｏｂｉｌｅＩＰネットワークの動作を示す図。
【符号の説明】
１ａ，ｂ　ＩＰサブネットワーク
２　移動ノード（ＭＮ）
３ａ，３ｂ，３ｃ　無線アクセスポイント
４　通常のフォーリンエージェント（ＦＡ）
５　通常のホームエージェント（ＨＡ）
６　通信ノード（ＣＮ）
７　ＦＡ制御サーバ
８ａ，８ｂ，８ｃ　ＩＰトンネルルータ
９　ＨＡ制御サーバ
１０〜１５、１７　分散Ｍｏｂｉｌｅ　ＩＰシグナリングフロー
１６　ＩＰトンネル
１８〜３０　分散Ｍｏｂｉｌｅ　ＩＰシグナリングフロー。
【図１】
2004112011.tif 000003
【図２】
2004112011.tif 000004
【図３】
2004112011.tif 000005
【図４】
2004112011.tif 000006
【図５】
2004112011.tif 000007
【図６】
2004112011.tif 000008
【図７】
2004112011.tif 000009
【図８】
2004112011.tif 000010
【図９】
2004112011.tif 000011
【図１０】
2004112011.tif 000012
【図１１】
2004112011.tif 000013
【図１２】
2004112011.tif 000014
【図１３】
2004112011.tif 000015